(57)【特許請求の範囲】
【請求項１】
ガス放出物を収容可能で、前記ガス放出物から放出されるガスによって伸張可能なバルーンと、
前記バルーンを被覆する溶解性のカプセルと、
前記バルーン内で、前記ガス放出物を収容可能であり、一端が固定壁でふさがれた筒状のシリンダーと、を備え、
前記シリンダーは、
前記筒状のシリンダーの他端と前記一端との間に軸方向に可動な可動弁と、
前記可動弁が前記他端方向に移動することによって前記ガス放出物からのガスを放出する放出孔と、
を有し、
前記可動弁は前記ガスの圧力によって前記他端方向に移動させられる
ことを特徴とする胃空間充填装置。
【請求項２】
ガス放出物を収容可能で、前記ガス放出物から放出されるガスによって伸張可能なバルーンと、
前記バルーンを被覆する溶解性のカプセルと、
前記バルーン内で、前記ガス放出物を収容可能であり、一端が固定壁でふさがれた筒状のシリンダーと、を備え、
前記シリンダーは、
前記筒状のシリンダーの他端と前記一端との間に軸方向に可動な可動弁と、
前記可動弁が前記他端方向に移動することによって前記ガス放出物からのガスを放出する放出孔と、
を有し、
前記可動弁は磁性体であり、磁気によって前記他端方向に移動させられる
ことを特徴とする胃空間充填装置。
【請求項３】
前記バルーンは、前記ガスを前記バルーン内から放出する排出栓を備えることを特徴とする請求項１又は２に記載の胃空間充填装置。
【発明の詳細な説明】
【技術分野】
【０００１】
本発明は、胃空間充填装置に関する。
【背景技術】
【０００２】
米国では６０歳以上の２／３以上の人が肥満体質といわれるほど、肥満が蔓延している。肥満を処置するために様々な肥満治療が開発されており、胃のバイパス手術や縮小手術などが、その１／１０の患者に行われている。
【０００３】
日本でも、肥満体質を原因とした糖尿病、高血圧及び脂質異常症などの生活習慣病が深刻な健康問題として増加の傾向を示している。肥満体質の増加に伴い、国が負担する医療コストも上昇の傾向にある。主要医療コストの１つは、肥満に関連する複合疾患に起因している。糖尿病を患う者の多くが肥満であり、肥満の複合疾患には、高血圧症、冠動脈疾患、高コレステロール血症、睡眠時無呼吸、および肺高血圧症がある。
【０００４】
このような健康問題における肥満に対し、第１の関連技術では、減量を達成するために、胃又は食道の粘膜を切除し胃のサイズ自体を小さくする胃縮小手術法がある（例えば特許文献１を参照。）。第１の関連技術により、胃のサイズを小さくすることによって患者の食物の摂取の胃の受け入れ容量を制限し、深刻な肥満の患者において体重の減少を促すことができる。
【０００５】
第２の関連技術では、胃の中に伸縮性の袋状の空間充填材を設置する。設置された空間充填材は、口又は鼻を通して胃に挿入されるカテーテルにより食塩水等の吹送流体によって充填される（例えば特許文献２を参照。）。空間充填材は胃の空間を占拠し、食物に利用可能な余地を低減することで、肥満の個人に対して満腹感を生成し、減量を完遂することができる。
【先行技術文献】
【特許文献】
【０００６】
【特許文献１】特開２０１５−２１７３０２号公報
【特許文献２】特開２００９−１４８５７８号公報
【発明の概要】
【発明が解決しようとする課題】
【０００７】
肥満傾向のある患者に対し、胃空間の収容能力を減少させることで、食欲の制御を行うことが可能となる。しかし、第１の関連技術では、外科手術による胃形成法であり、侵襲性及び複雑な手術に伴う臓器損傷などの深刻な合併症の可能性がある。また、他の合併症として、ダンピング症候群などが挙げられる。ダンピング症候群は、胃の内容物があまりに早く小腸に入って胃が空になったときに起こる。一部が消化された食物が過剰な胃液を小腸に引き込むため、吐き気、痙攣、下痢、発汗、失神、動悸などを引き起こすダンピング症候群は、胃の一部を改変又は除去する手術を受けた人が単糖又は精糖を多く消費しすぎた後に発症しやすい。
【０００８】
第２の関連技術では、第１の関連技術に比べ患者に対し非侵襲的な治療法である。第２の関連技術に係る空間充填材は、閉塞性の装置であるため、当該空間充填材が胃空間内部を占める体積によって食べ過ぎることを防ぐ。しかし、胃内の装置に外部から流体等を注入する必要がある。
【０００９】
前記課題を解決するために、本発明は、胃空間充填装置を患者が自身で飲み込むだけで胃空間内を充填することを目的とする。
【課題を解決するための手段】
【００１０】
上記目的を達成するため、本発明では、ガス放出物が放出するガスにより胃空間充填装置を膨張させ胃空間内の充填を行う。
【００１１】
具体的には、本発明に係る胃空間充填装置は、
ガス放出物を収容可能で、前記ガス放出物から放出されるガスによって伸張可能なバルーンと、
前記バルーンを被覆する溶解性のカプセルと、を備える。
【００１２】
本発明に係る胃空間充填装置では、
前記バルーン内で、前記ガス放出物を収容可能であり、一端が固定壁でふさがれた筒状のシリンダーであって、
前記筒状のシリンダーの他端と前記一端との間に軸方向に可動な可動弁と、
前記可動弁が前記他端方向に移動することによって前記ガス放出物からのガスを放出する放出孔と、
を有する筒状のシリンダーを、さらに備えてもよい。
【００１３】
本発明に係る胃空間充填装置では、
前記可動弁は前記ガスの圧力によって前記他端方向に移動してもよい。
【００１４】
本発明に係る胃空間充填装置では、
前記可動弁は磁性体であり、磁気によって前記他端方向に移動してもよい。
【００１５】
本発明に係る胃空間充填装置では、
前記バルーンは、前記ガスを前記バルーン内から放出する排出栓を備えてもよい。
【００１６】
なお、上記各発明は、可能な限り組み合わせることができる。
【発明の効果】
【００１７】
本発明によれば、胃空間充填装置を患者が自身で飲み込むだけで胃空間内を充填することができる。
【図面の簡単な説明】
【００１８】
【図１】実施形態１に係る胃空間充填装置の構成図の一例を示す。
【図２】実施形態２に係る胃空間充填装置の構成図の一例を示す。
【図３】実施形態３に係る胃空間充填装置の構成図の一例を示す。
【発明を実施するための形態】
【００１９】
以下、本発明の実施形態について、図面を参照しながら詳細に説明する。なお、本発明は、以下に示す実施形態に限定されるものではない。これらの実施の例は例示に過ぎず、本発明は当業者の知識に基づいて種々の変更、改良を施した形態で実施することができる。なお、本明細書及び図面において符号が同じ構成要素は、相互に同一のものを示すものとする。
【００２０】
（実施形態１）
本実施形態に係る胃空間充填装置の構成図を図１に示す。胃空間充填装置は、バルーン１１と、固定部１２と、カプセル１３と、ガス放出物１４と、排出栓１５と、を備える。カプセル１３及び排出栓１５は、胃液で溶ける溶解性の材料で形成されてもよい。また、ガス放出物１４は、ドライアイスであってもよい。
【００２１】
以下に本実施形態に係る胃空間充填装置の動作例を図１を用いて具体的に示す。患者は、胃空間充填装置を嚥下する。胃空間充填装置におけるカプセル１３は、患者の食道を通過し、胃に到達すると胃液で溶解する。カプセル１３が溶解すると、ガス放出物１４であるドライアイスから放出されたＣＯ２ガスによりバルーン１１が膨張することができる。胃空間内で膨張したバルーン１１は胃内に滞留することができる。なお、カプセル１３が溶解した後にドライアイスがＣＯ２ガスを放出するように設定してもよい。
【００２２】
ガス放出物１４は、重曹と酢酸又は塩酸との組合せであってもよい。酸で溶解するゼラチンで重曹と酢酸又は塩酸とを分離しておき、酢酸又は塩酸でゼラチンが溶解すると、重曹と酢酸又は塩酸が混合されて、ＣＯ２ガスが放出される。
【００２３】
バルーン１１が球状に膨張して、直径が５ｃｍ以上になると胃内に滞留することができ、また胃空間を充填する効果が得られる。これは、６５ｍｌの容積に相当する。好ましくは直径が１０ｃｍまでである。これは、５２０ｍｌの容積に相当する。直径が１０ｃｍであれば、多くの人の胃空間を充填する効果が得られる。最大では直径が２０ｃｍ程度まで許容できる。バルーン１１の形状は、単一の球状だけではなく、双球状でもよい。また、円柱状や楕円体状であってもよい。この場合は、最大部の直径が５ｃｍ以上になると胃内に滞留することができる。好ましくは直径が１０ｃｍまでである。最大では直径が２０ｃｍまで許容できる。軸長は５ｃｍから１５ｃｍが好ましい。最大では軸長が３０ｃｍまで許容できる。この程度の大きさであれば、胃内に滞留して、胃空間を充填する効果が得られる。以下の実施形態でも同様である。
【００２４】
膨張したバルーン１１は、胃空間を充填することで患者の食物摂取量を制限することができる。また、バルーン１１は、接着剤として機能する固定部１２で固定された溶解性の排出栓１５を有しているため、所望の期間を経過すると胃液で溶解した排出栓１５の空孔部分からバルーン１１内のＣＯ２ガスを放出することもできる。このため、本実施形態に係る胃空間充填装置は、患者の管腔から排出処理をするための内視鏡やカテーテルの挿入による穿刺も不要となる。ＣＯ２ガスを放出して、縮小したバルーン１１は自然に患者から排出される。
【００２５】
排出栓１５に替えて、電磁弁を外部からの磁気操作で開放することによってバルーン１１内のＣＯ２ガスを放出する構成としてもよい。以下の実施形態でも同様である。
【００２６】
（実施形態２）
実施形態２に係る胃空間充填装置の構成図を図２に示す。胃空間充填装置は、バルーン１１と、固定部１２と、ガス放出物１４と、排出栓１５と、ステンレスシリンダー１７と、可動弁として機能する可動板１８と、を備える。ステンレスシリンダー１７は、ガス放出物１４の放出するガスをバルーン１１に排出する排出孔１６が形成されている。カプセル１３及び排出栓１５は、胃液で溶ける溶解性の材料で形成されてもよい。また、ガス放出物１４は、ドライアイスであってもよい。
【００２７】
以下に実施形態２に係る胃空間充填装置の動作例を図２を用いて具体的に示す。患者が嚥下した胃空間充填装置は、胃に到達すると胃液でカプセル１３が溶解する。ステンレスシリンダー１７内には、ガス圧により可動する可動板１８が配置され、ガス放出物１４であるドライアイスから放出されたＣＯ２ガスのガス圧により可動板１８を排出孔１６まで動かすことができる。ガス圧により可動した可動板１８が排出孔１６の位置を通過すると、ドライアイスから放出されたＣＯ２ガスは、排出孔１６から放出されバルーン１１が膨張する。なお、可動板１８は、磁性体で形成され、外部からの磁気誘導により可動させる磁気バルブとして機能してもよい。即ち、可動板１８が外部からの磁気誘導で可動板１８を排出孔１６まで動かすことができる。
【００２８】
膨張したバルーン１１は、胃空間を充填することで患者の食物摂取量を制限することができる。また、バルーン１１は、接着剤として機能する固定部１２で固定された溶解性の排出栓１５を有しているため、所望の期間を経過すると胃液で溶解した排出栓１５の空孔部分からバルーン１１内のＣＯ２ガスを放出することもできる。このため、本実施形態に係る空間充填装置は、患者の管腔から排出処理をするための内視鏡やカテーテルの挿入による穿刺も不要となる。ＣＯ２ガスを放出して、縮小したバルーン１１は自然に患者から排出される。
【００２９】
排出栓１５に替えて、電磁弁を外部からの磁気操作で開放することによってバルーン１１内のＣＯ２ガスを放出する構成としてもよい。以下の実施形態でも同様である。
【００３０】
（実施形態３）
実施形態３に係る胃空間充填装置の構成図を図３に示す。胃空間充填装置は、バルーン１１と、排出栓１５と、搬送カプセル２１と、磁性体板２２と、締結リング２３と、解放栓２４と、重曹２５と、酢酸２６と、を備える。搬送カプセル２１は、ゼラチンで形成されているため、患者が胃空間充填装置を嚥下した場合、ゼラチン質による滑らかな表面を保つことで管腔内を傷つけずに胃内まで搬送することができる。バルーン１１の中央部分はゼラチンで形成された締結リング２３で締結され、締結リング２３で重曹２５及び酢酸２６がそれぞれ分離され収容されている。
【００３１】
以下に実施形態３に係る胃空間充填装置の動作例を図３を用いて具体的に示す。患者が嚥下した胃空間充填装置は、胃に到達すると胃液で搬送カプセル２１及び締結リング２３が溶解する。締結リング２３が溶解すると、解放栓２４が解放され、バルーン１１内に収容されている重曹２５及び酢酸２６が混合される。締結リング２３でそれぞれ分離された重曹２５及び酢酸２６がバルーン１１内で混合することでＣＯ２ガスが放出され、放出されたＣＯ２ガスによりバルーン１１が膨張する。酢酸に替えて、塩酸でもよい。
【００３２】
伸張したバルーン１１は、胃空間を充填することで患者の食物摂取量を制限することができる。また、バルーン１１は、接着剤として機能する固定部１２で固定された溶解性の排出栓１５を有しているため、所望の期間を経過すると胃液で溶解した排出栓１５の空孔部分からバルーン１１内のＣＯ２ガスを放出することもできる。このため、本実施形態に係る胃空間充填装置は、患者の管腔から排出処理をするための内視鏡やカテーテルの挿入による穿刺も不要となる。ＣＯ２ガスを放出して、縮小したバルーン１１は自然に患者から排出される。
【００３３】
排出栓１５と並列して磁性体板２２を用い、又は排出栓１５に替えて磁性体板２２を用い、磁性体板２２を外部からの磁気操作で開放することによってバルーン１１内のＣＯ２ガスを放出する構成としてもよい。以下の実施形態でも同様である。
【産業上の利用可能性】
【００３４】
本発明に係る胃空間充填装置は、医療機器産業に適用することができる。
【符号の説明】
【００３５】
１１：バルーン
１２：固定部
１３：カプセル
１４：ガス放出物
１５：排出栓
１６：排出孔
１７：ステンレスシリンダー
１８：可動板
２１：搬送カプセル
２２：磁性体板
２３：締結リング
２４：解放栓
２５：重曹
２６：酢酸
【図１】
0006542702.tif 000002
【図２】
0006542702.tif 000003
【図３】
0006542702.tif 000004